(57)【要約】【課題】加熱シリンダの温度調整を送風により行う送風装置を備えた射出成形機において、加熱シリンダの先端に装着された射出ノズルが、送風装置からの送風により不安的に温度変化してしまうことを防止する。【解決手段】成形体となり得る樹脂材料を内部で溶融する、外周にヒータの設けられた加熱シリンダ２と、加熱シリンダ２の先端に装着され、溶融された樹脂材料を金型のキャビティに射出する射出ノズル３と、加熱シリンダ２を囲繞するヒータカバー４と、加熱シリンダ２とヒータカバー４との間の空間部Ｓに送風を行い、加熱シリンダ２の温度調整を行う送風装置６と、を備えた射出成形機であって、送風装置６からの送風を射出ノズル３に吹き付けられるのを阻止する射出ノズル断熱カバー５を、射出ノズル３の外周面に設ける。【選択図】図１
2016215505.tif 000002
【特許請求の範囲】
【請求項１】
成形体となり得る樹脂材料を内部で溶融する、外周にヒータの設けられた加熱シリンダと、
該加熱シリンダの先端に装着され、加熱シリンダ内で溶融された前記樹脂材料を金型のキャビティに射出する射出ノズルと、
前記加熱シリンダを囲繞するヒータカバーと、
前記加熱シリンダと前記ヒータカバーとの間の空間部に送風を行い、加熱シリンダの温度調整を行う送風装置と、を備えた射出成形機であって、
前記送風装置からの送風を前記射出ノズルに吹き付けられるのを阻止する射出ノズルカバーを、前記射出ノズルの外周面に設けたことを特徴とする射出成形機。
【請求項２】
前記射出ノズルカバーは、前記ヒータにより前記送風を加熱した温風が、前記射出ノズルに吹き付けられて前記射出ノズルが高温となることを抑制する射出ノズル断熱カバーであることを特徴とする請求項１に記載の射出成形機。
【請求項３】
前記射出ノズルカバーは、柔軟性を有するシート状のものであることを特徴とする請求項１又は２に記載の射出成形機。
【請求項４】
前記シート状の射出ノズルカバーを前記射出ノズルの外周面に複数回巻き付けたことを特徴とする請求項３に記載の射出成形機。
【請求項５】
前記射出ノズルの外周面の一部に、前記射出ノズルの温度を検出するセンサーを設け、
前記射出ノズルの外周面の一部に設けた前記センサーを、外部露出しないよう前記射出ノズルカバーにより覆ったことを特徴とする請求項１〜４の何れか１項に記載の射出成形機。
【発明の詳細な説明】
【技術分野】
【０００１】
本発明は、加熱シリンダで溶融された樹脂を、当該加熱シリンダの先端に設けた射出ノズルから金型のキャビティへ射出して成形品を製造する射出成形機に関し、特に、加熱シリンダの温度調整を行うための送風装置からの送風により、射出ノズルの温度が変化してしまうことを抑制することが可能な射出成形機に関する。
【背景技術】
【０００２】
射出成形により成形品を製造する射出成形機においては、大別すると、金型の型開閉を行う型開閉ユニットと、型閉された金型内に樹脂材料を射出する射出ユニットとから構成されている。公知の射出ユニットには、例えば特許文献１に開示されているように、ヒータが外周に巻き付けられるようにして構成された加熱シリンダと、該加熱シリンダの先端に装着された射出ノズルと、加熱シリンダを囲繞するヒータカバーと、ヒータカバーと加熱シリンダとの間に形成された空間部に強制送風をする送風装置たる空気供給器と、射出ノズルや加熱シリンダの温度を検出するセンサーと、を備えたものがあり、空気供給器が、前記空間部の仕切ゾーンへ強制送風を行うことによって、加熱シリンダの温度を設定温度に保たれるよう温度制御することが記載されている。
【先行技術文献】
【特許文献】
【０００３】
【特許文献１】特開平６−７９７６４号公報
【発明の概要】
【発明が解決しようとする課題】
【０００４】
特許文献１に示すような、ヒータカバーと加熱シリンダとの間の空間部へ強制送風が行われる射出成形機においては、当該強制送風に伴い、ヒータカバーに形成された孔部や、ヒータカバーと加熱シリンダとの間の隙間から、加熱シリンダで高温に暖められた空気が排出されることになるため、当該排出された空気による乱流が影響して、外部に露出するようにして配設された射出ノズルは、設定温度よりも低下してしまうことがあり、それが原因で射出ノズルの温度が不安定となり成形不良が発生する懸念がある。
【０００５】
また、射出ノズルには、当該射出ノズルの温度を計測するための熱電対等のセンサーが設けられていることから、例えば、射出ノズル側に位置するヒータカバーと加熱シリンダとの間の隙間から空気が漏れだし、その空気がセンサーへ向かって排出されたりすると、射出ノズルの温度よりもセンサー自体の温度は低下してしまうこととなり、射出ノズルの温度を正確に検出することが困難となり、それが原因で成形体の製造を安定的に行うことが難しくなる。
【０００６】
本発明は、上記課題に鑑みてなされたものであり、加熱シリンダの温度調整を送風により行う送風装置を備えた射出成形機において、加熱シリンダの先端に装着された射出ノズルや、該射出ノズルの温度を測定するセンサーが、送風装置からの送風により温度変化してしまうことを防止した射出成形機を提供することを目的とする。
【課題を解決するための手段】
【０００７】
本射出成形機に係る発明は、
成形体となり得る樹脂材料を内部で溶融する、外周にヒータの設けられた加熱シリンダと、
該加熱シリンダの先端に装着され、加熱シリンダ内で溶融された前記樹脂材料を金型のキャビティに射出する射出ノズルと、
前記加熱シリンダを囲繞するヒータカバーと、
前記加熱シリンダと前記ヒータカバーとの間の空間部に送風を行い、加熱シリンダの温度調整を行う送風装置と、を備えた射出成形機であって、
前記送風装置からの送風を前記射出ノズルに吹き付けられるのを阻止する射出ノズルカバーを、前記射出ノズルの外周面に設けたことを特徴とする。
【０００８】
本射出成形機に係る発明は、
前記射出ノズルカバーは、前記ヒータにより前記送風を加熱した温風が、前記射出ノズルに吹き付けられて前記射出ノズルが高温となることを抑制する射出ノズル断熱カバーであることを特徴とする。
【０００９】
本射出成形機に係る発明は、
前記射出ノズルカバーは、柔軟性を有するシート状のものであることを特徴とする。
【００１０】
本射出成形機に係る発明は、
前記シート状の射出ノズルカバーを前記射出ノズルの外周面に複数回巻き付けたことを特徴とする。
【００１１】
本射出成形機に係る発明は、
前記射出ノズルの外周面の一部に、前記射出ノズルの温度を検出するセンサーを設け、
前記射出ノズルの外周面の一部に設けた前記センサーを、外部露出しないよう前記射出ノズルカバーにより覆ったことを特徴とする。
【発明の効果】
【００１２】
本発明によれば、加熱シリンダの温度調整のため、送風装置から、加熱シリンダとヒータカバーとの間の空間部に送風されると、当該送風が、加熱シリンダとヒータカバーとの間の隙間等を通じて、加熱シリンダに隣接して設けられた射出ノズル付近に到達することがあるが、射出ノズルの外周面に送風装置からの送風を阻止する射出ノズルカバーを設けたことから、送風装置からの送風により、射出ノズルの温度が変化してしまうことを抑制することができる。よって、加熱シリンダを温度調整するための送風の吹き付けに伴う射出ノズルの温度変化を抑制することが可能となり、これにより、射出ノズルの温度の不安定化に伴う成形不良の発生を防止することができる。
【００１３】
さらに、前記射出ノズルカバーは射出ノズル断熱カバーである。これにより、加熱シリンダ内で温められた温風が射出ノズルに向かって吹き付けられても、こうした温風による熱が射出ノズルに伝わることを抑制することができる。よって、温風からの熱伝達により、射出ノズルが温度変化してしまうことを抑制することができ、これにより成形不良の発生を防止することができる。
【００１４】
さらに、射出ノズル断熱カバー等の射出ノズルカバーは、柔軟性を有するシート状のものであることから、シート状の射出ノズルカバーと射出ノズルとの間に隙間が形成されることがないよう、射出ノズルに対し射出ノズルカバーを密着させることができる。よって、送風装置からの送風が、射出ノズルカバーの内側に位置する射出ノズルの外周面に直接到達してしまうことを防止することができ、送風の吹き付けに伴う射出ノズルの温度変化を効果的に抑制することができる。
【００１５】
さらに、シート状の射出ノズル断熱カバー等の射出ノズルカバーは、射出ノズルの外周面に複数回巻き付けて設けられるものであり、これにより、温風が射出ノズルに向かって吹き付けられても、こうした温風による熱が射出ノズルに伝わることを効果的に抑制することができる。
【００１６】
さらに、射出ノズルの外周面の一部に設けられた、射出ノズルの温度を検出するセンサーは、射出ノズルと共に、外部に露出しないよう射出ノズル断熱カバー等の射出ノズルカバーにより覆われていることから、温風等の送風が、直接的にセンサーに吹き付けられることを防止することができる。よって、送風装置からセンサーに向かって温風等の送風が吹き付けられたとしても、それに伴いセンサーで計測される温度が変化してしまうことを防止することができ、射出ノズルの正確な温度を検出することが可能となり安定的な成形が可能となる。
【図面の簡単な説明】
【００１７】
【図１】本発明の一例の射出成形機に構成される射出ユニットの要部を示す側面図である。
【図２】本発明の一例の射出成形機に構成される射出ユニットの要部を示す正面図である。
【図３】射出ノズルから射出ノズル断熱カバーを取り外した状態を示す側面図である。
【図４】射出ノズルの外周面に複数回巻き付けられるシート状の射出ノズル断熱カバーと射出ノズルとを示す斜視図である。
【発明を実施するための形態】
【００１８】
以下、本実施形態の射出成形機を図１〜図４により以下に説明する。もちろん、本発明は、その発明の趣旨に反しない範囲で、本実施形態において説明した以外の構成のものに対しても容易に適用可能なことは説明を要するまでもない。
【００１９】
図１〜図２は本実施形態の射出成形機に構成される射出ユニット１の要部を示すものであり、図１の太線の矢印は後述する送風装置６からの送風の流れを表している。図１及び図２に示すように、射出ユニット１には、成形体の原料となる樹脂材料を内部で溶融する筒型の加熱シリンダ２、加熱シリンダ２の先端に装着され、加熱シリンダ２内で溶融された樹脂材を金型のキャビティに射出する射出ノズル３、加熱シリンダ３の外側を囲繞するヒータカバー４、射出ノズル３の外周面を覆う射出ノズル断熱カバー５、ヒータカバー４の上部に設けられ、射出ノズル断熱カバー５と加熱シリンダ２との間に形成された空間部Ｓへ、加熱シリンダ２の温度を調整するために送風を行う送風装置６等を備える。なお、加熱シリンダ２の外周には図示しないヒータが構成されており、当該ヒータに通電されることで加熱シリンダ２は高温に加熱され、加熱シリンダ２の内部に供給された樹脂材料は加熱溶融される。
【００２０】
また、図３に示すように、射出ノズル３の外周面の一部には、射出ノズル３の温度を測定し検出するセンサーたる熱電対７が設けられている。射出ノズル３の温度を正確に測定するため、その外周面に直接的に設けられた熱電対７は、射出ノズル３の外周面と共に、着脱自在な射出ノズル断熱カバー５により密着された状態で覆われている。また、熱電対７への通電には、配線カバー８に沿うようにして設けられた配線９を通じて行われる。
【００２１】
射出ノズル断熱カバー５は、柔軟性を有するシート状ものであり、熱電対７を含み、射出ノズル１に螺旋状に複数回巻き付けられるようにして取り付けられている。なお、射出ノズル１への射出ノズル断熱カバー５の取り付けは、射出ノズル断熱カバー５に一体に設けられた取付手段たるベルベットファスナー１０が用いられる。
【００２２】
以上のように本実施形態の射出成形機によれば、加熱シリンダ２の冷却等の温度調整のため、送風装置６から、加熱シリンダ２とヒータカバー４との間の空間部Ｓに送風されると、当該送風が、加熱シリンダ２とヒータカバー４との間の隙間等から漏れだして、加熱シリンダ２に隣接して設けられた射出ノズル３付近に到達することがあるのだが、射出ノズル３の外周面に送風装置６からの送風を阻止する射出ノズル断熱カバー５を設けたことから、送風装置６からの送風により、射出ノズル３の温度が変化してしまうことを抑制することができる。よって、加熱シリンダ２を温度調整するための送風の吹き付けに伴う射出ノズル３の温度変化を抑制することが可能となり、これにより、射出ノズル３の温度の不安定化に伴う成形不良の発生を防止することができる。
【００２３】
さらに、射出ノズル３を覆うカバーとして断熱性を有する射出ノズル断熱カバー５を適用したことにより、加熱シリンダ２内で温められた温風が射出ノズル３に向かって吹き付けられても、こうした温風による熱が射出ノズル３に伝わることを抑制することができる。よって、温風からの熱伝達により、射出ノズル３が温度変化してしまうことを抑制することができ、安定的な成形が可能となり、成形不良の発生を防止することができる。
【００２４】
さらに、射出ノズル断熱カバー５は、柔軟性を有するシート状のものであることから、シート状の射出ノズル断熱カバー５と射出ノズル３との間に隙間が形成されることがないよう、射出ノズル３に対し射出ノズル断熱カバー５を密着させることができる。よって、送風装置６からの温風等の送風が、射出ノズル断熱カバーの内側に位置する射出ノズルの外周面に直接到達してしまうことを防止することができ、これにより、温風等の送風の吹き付けに伴う射出ノズル３の温度変化を効果的に抑制することができる。
【００２５】
さらに、シート状の射出ノズル断熱カバー５は、射出ノズル３の外周面に複数回巻き付けて設けられるものであり、これにより、温風が射出ノズル３に向かって吹き付けられても、こうした温風による熱が射出ノズル３に伝わることを効果的に抑制することができる。
【００２６】
さらに、射出ノズル３の外周面の一部に設けられた、射出ノズル３の温度を検出する熱電対７は、射出ノズル３と共に、外部に露出しないよう射出ノズル断熱カバー５により覆われていることから、送風装置６からの温風等の送風が、直接的に熱電対７に吹き付けられることを防止することができる。よって、送風装置６から熱電対７に向かって温風等の送風が吹き付けられたとしても、それに伴い熱電対７で計測される温度が変化してしまうことを防止することができ、射出ノズル３の正確な温度を検出することが可能となり安定的な成形が可能となる。
【００２７】
以上、本実施形態を詳述したが、本発明は、前記実施形態に限定されるものではなく、本発明の要旨の範囲内で種々の変形実施が可能である。例えば、本実施形態においては、ベルベットファスナー１０を用いて射出ノズル断熱カバー５を射出ノズル３に取り付けているが、これ以外の取付手段を用いても良いことは言うまでもない。
【符号の説明】
【００２８】
１  射出ノズル
２  加熱シリンダ
３  射出ノズル
４  ヒータカバー
５  射出ノズル断熱カバー（射出ノズルカバー）
６  送風装置
７  熱電対（センサー）
８  配線カバー
９  配線
１０  ベルベットファスナー
Ｓ  空間部
【図１】
2016215505.tif 000003
【図２】
2016215505.tif 000004
【図３】
2016215505.tif 000005
【図４】
2016215505.tif 000006